【事件の表示】
　平成　６年特許願第　５４５８９号「パチンコ機」拒絶査定不服審判事件〔平成　７年　９月１２日出願公開、特開平　７−２３６７４３〕について、次のとおり審決する。
【結　論】
　本件審判の請求は、成り立たない。
【理　由】
【１】本願の手続の経緯 
　本願は、平成６年２月２８日に出願したものであって、平成１４年１１月１８日付けで拒絶理由が通知され、これに対し平成１５年１月２４日付けで手続補正がなされ、平成１５年４月２２日付けで拒絶査定がなされ、これに対し平成１５年６月２日に拒絶査定に対する審判請求がなされる共に平成１５年７月１日付けで手続補正がなされたものである。
　　　　
【２】平成１５年７月１日付けの手続補正についての補正の却下の決定
［補正の却下の決定の結論］
　平成１５年７月１日付けの手続補正を却下する。
［理由］
１．補正後の本願発明
　平成１５年７月１日付けの手続補正により補正された特許請求の範囲の請求項１に係る発明（以下、「本願補正発明」という。）は、その特許請求の範囲の請求項１に記載された以下の事項に特定されるとおりのものである。
「【請求項１】遊技盤面に設けられた始動入賞領域と、該始動入賞領域へのパチンコ球の通過に基づいて予め所定順序に配列されている複数種の識別情報を前記配列にしたがって、複数行・複数列で構成された表示部材の各列または各行に、各列単位または各行単位で異なる所定の変動時間づつ変動表示させ、該変動表示の終了に基づいて前記識別情報のいずれかを順次時間差をおいて各列毎または各行毎に停止表示する可変表示装置と、前記表示部材
の有効ライン上
が同一の識別情報である特別組合せの場合に、
　前記識別情報を変動表示させ、かつ、停止表示させるための変動停止領域および選択した前記識別情報を停止表示させるための停止領域を
前記有効ラインに沿って
　前記停止領域に表示させる停止識別情報を選択するための選択部材をパチンコ機の前面側に配置し、
　前記選択部材によって選択した識別情報を予め前記停止領域に停止表示させ、該選択した識別情報と前記変動停止領域に表示される停止識別情報の
前記有効ライン上の
同一の識別情報である
の
　　　
２．補正の適否の検討
　本願補正発明に係る請求項１の補正は、平成１５年１月２４日付けで補正された【請求項１】に記載の「停止識別情報」に関して、「表示部材に停止表示した停止識別情報の組合せに応じて」を、「表示部材の有効ライン上に停止表示した停止識別情報の組合せが同一の識別情報である特別組合せの場合に、」と限定的に特定するとともに、「停止識別情報の組合せが予め定められた特別組合せである場合に」を、「停止識別情報の前記有効ライン上の組合せが予め定められた同一の識別情報である特別組合の場合に」と限定的に特定するものであり、また、【請求項１】に記載の「停止領域」に関して、「停止領域を前記表示部材に設け」を、「停止領域を前記有効ラインに沿って前記表示部材に設け」と限定的に特定するものであるから、平成１５年改正前特許法第１７条の２第４項第２号の特許請求の範囲の減縮を目的とするものに該当する。
　そこで、本願補正発明が、特許出願の際独立して特許を受けることができるものであるか（平成１５年改正前特許法第１７条の２第５項の規定において準用する同法第１２６条第４項の規定に適合するか）について以下に検討する。
　　　
３．引用例に記載の発明
（１）原査定の拒絶の理由に引用され、本願の出願日前に頒布された特開平３−１０３２７５号公報（以下、「引用例」という。）には、図面とともに、以下の事項が記載されている。
（ア）「・・前面枠２の一側部には、図柄選択スイッチ９が設けられている。この図柄選択スイッチ９は、後述する組合せ表示装置２０において、大当り表示態様を構成する図柄の１つを遊技者の意志によって選択するものである。・・」（第２頁右下欄第１４〜１８行）
（イ）「・・遊技盤１０には、打球を誘導するとともに遊技領域１２を区画形成する誘導レール１１がほぼ円状に植立されている。遊技領域１２のほぼ中央には、複数の表示部２１ａ〜２１ｃを有する組合せ表示装置２０が設けられている。この組合せ表示装置２０は、遊技盤１０に設けられた始動人賞口１３ａ〜１３ｃに打球が人賞することによって表示部２１ａ〜２１ｃが可変表示開始し、一定時間ｔ１（例えば、５秒）後に自動的にその可変表示状態を順次停止するようになっている。なお、表示部２１ａ〜２１ｃの可変表示は、「０」〜「９」及び「Ａ」〜「Ｇ」までの数字及び文字からなる図柄が如何にも回転しているかのように表示される。」（第２頁右下欄第２０行〜第３頁左上欄第１３行）
（ウ）「・・遊技領域１２の下方には、変動入賞装置１４が取着されている。この変動入賞装置１４には、電気的駆動源であるソレノイドによって開閉駆動される開閉板１５が設けられており、この開閉板１５が前記組合せ表示装置２０の組み合せ態様により所定の条件で開閉駆動されるようになっている。具体的には、前記表示部２１ａ〜２１ｃの表示態様がすべて「同一数字」、すべて「選択された図柄（文字）」、及び「２つの同一数字と選択された１つの図柄との組合せ」を表示した場合には、大当り表示態様であると判断されて、開閉板１５を所定時間Ｔ（例えば、２０〜３０秒の間で設定される時間）経過するまで、あるいは所定個数（例えば、１０〜１５個の間で設定される個数）の入賞玉が発生するまで開放し・・」（第３頁左上欄第１４行〜同頁右上欄第８行）
（エ）「・・遊技領域１２には、入賞口１６ａ，１６ｂ，１７ａ，１７ｂ，及びアウト口１８等がそれぞれ設けられている。」（第３頁右上欄第１６〜１８行）
（オ）「・・組合せ表示装置２０は、その下方に複数（３つ）の表示部２１ａ〜２１ｃと、中央の表示部２ｌｂの上部に１つの選択図柄表示部２２とを有して構成される。これらの表示部２１ａ〜２１ｃ及び選択図柄表示部２２は、ドット・マトリックス・ディスプレイで構成される。・・」（第３頁右上欄第２０行〜同頁左下欄第６行）
（カ）「・・組合せ表示装置２０の上部には、遊技客の意志で選択可能な複数の図柄を表示する選択可能図柄表示部２７が設けられている。そして、複数の図柄の後方には、表示ランプが対応して設けられ、前記図柄選択スイッチ９をＯＮさせる毎に表示ランプの点灯が移動し、点灯している表示ランプに対応する図柄が遊技客の意志で選択された選択図柄とされる。そして、この選択図柄は、前記選択図柄表示部２２に表示される。なお、この実施例では、前記図柄選択スイッチ９は、前記始動人賞表示器２６ａ〜２６ｄの少なくとも１つが点灯している場合、及び表示部２１ａ〜２１ｃが可変表示中であるときには、不能動化されており、選択図柄を変更することができないようになっている。・・遊技客の意思で選択される図柄としては、前記１７種類のうち７種類の文字「Ａ」〜「Ｇ」までであり、この中から遊技客が任意に選択することができる。・・」（第３頁右下欄第１〜第４頁左上欄第９行）
（キ）「・・この実施例では、３つの表示部２１ａ〜２１ｃのうち、左側の表示部２１ａが最初に可変表示を停止し、次に右側の表示部２１ｃが可変表示を停止し、最後の中央の表示部２ｌｂが可変表示を停止するように制御される。
ところで、この実施例においては、上記した複数の大当り表示態様に加えて、更に表示部２１ａ〜２１ｃに表示される表示態様によって大当りとなる組合せが用意されている。すなわち、３つの表示部２１ａ〜２１ｃのうち、所定の又は任意の２つの表示部に上記した複数の大当り表示態様のうち１種類の大当り表示態様が表示され、且つ残りの表示部に、遊技客が自分の意志で選択した図柄、すなわち選択図柄表示部２２で表示されている図柄と同一の図柄が表示された場合には、大当り状態と見なすようになっている。例えば、２つの表示部２１ａ，２１ｃに共に「７」が表示されているときに、残りの表示部２ｌｂに選択された図柄「Ａ」が表示されたときにも大当り状態と判定される。もちろん、この場合、残りの表示部９Ｃに「７」が表示されれば、前記したように従来と同様に大当り状態と判定される。」（第４頁左上欄第９行〜同頁右上欄第１１行）
（ク）「電源が投入されると、まず、図柄選択スイッチ９がＯＮされたか否かが判断され（ステップＳ１）、ＯＮされた場合には、選択可能図柄表示部２７の表示ランプを歩進し（ステップＳ２）、遊技客の好む図柄を選択させる。この場合、図柄選択スイッチ９が操作される毎に表示ランプの歩進が１つずつ行われると同時に選択図柄表示部２２に表示される図柄もその都度変更される。・・」（第４頁右下欄第１〜８行）
（ケ）「この実施例によれば、「０」〜「９」までの数字がゾロ目となったとき、及び「Ａ」〜「Ｇ」までの文字のうち選択された文字がゾロ目となったときに大当り状態と判定されるとともに、更に、２つの表示部に同一種類の数字が表示され、残りの１つの表示部に、遊技客の意志によって選択された文字が表示されたときにも大当り状態と判断される。したがって、ゾロ目のときに大当り状態となる通常のパチンコ機に比較して、選択された図柄を１つ加えるだけで大当りとなる組合せが大幅に増加するとともに、大当り表示態様の図柄を遊技客の意志によって選択することできる。このため、遊技客は、長時間遊技しても飽きないし、遊技に対する興味を持続することができる。」（第５頁右下欄第第１１行〜第６頁左上欄第５行）
（コ）「なお、上記した実施例においては、組合せ表示装置２０の表示部としてドット・マトリックス・ディスプレイで構成したものを示したが、これに限らず、ドラムやセグメント表示器であっても良く、また、表示部の数も３つに限定されない。また、表示態様としても数字やアルファベットだけでなく、容易に理解できる図柄（例えば、カタカナ、絵柄の数等）であればどのような表示態様であってもよい。また、表示部２１ａ〜２１ｃの停止順序も実施例と異なるように制御しても良いし、３つの表示部２１ａ〜２１ｃが同時に停止するようにしてもよい。また、小当り状態が発生しないようにしたものでもよい。更に、選択図柄表示部として特別に表示部２２を設けなくても、例えば、上記実施例のように選択可能図柄表示部２７のように選択された図柄をランプ等で光らせるだけの構造であってもよい。」（第６頁左上欄第９行〜同頁右上欄第５行）　　　
　上記記載事項（ア）乃至（コ）の記載及び図面からみて、引用例には以下の発明（以下、「引用発明」という。）が記載されていると認められる。
　　　　
＜引用発明＞
「遊技盤１０に設けられた始動人賞口１３ａ〜１３ｃと、始動人賞口１３ａ〜１３ｃに打球が人賞することによって「０」〜「９」及び「Ａ」〜「Ｇ」までの数字及び文字からなる図柄を、複数の表示部２１ａ〜２１ｃにおいて可変表示開始させ、左側の表示部２１ａが最初に可変表示を停止し、次に右側の表示部２１ｃが可変表示を停止し、最後の中央の表示部２ｌｂが可変表示を停止するように制御される組合せ表示装置２０と、前記表示部２１ａ〜２１ｃの表示態様がすべて「同一数字」である大当り表示態様を表示した場合に、開閉板１５を開放する変動入賞装置１４を取着したパチンコ機において、
「０」〜「９」及び「Ａ」〜「Ｇ」までの数字及び文字からなる図柄の可変表示を開始し、一定時間後に自動的にその可変表示状態を順次停止する表示部２１ａ〜２１ｃおよび選択された図柄（文字）を表示する選択図柄表示部２２を前記組合せ表示装置２０に設け、
　選択図柄表示部２２に表示される図柄を選択させる図柄選択スイッチ９を前面枠２の一側部に設け、
　前記選択された図柄（文字）を前記選択図柄表示部２２に表示させ、該選択された図柄（文字）と、前記表示部２１ａ〜２１ｃの表示態様が２つの同一数字と前記選択された１つの図柄との組合せを表示した場合、大当り表示態様であると判定して、前記変動入賞装置１４の開閉板１５を所定時間開放するパチンコ機。」
　　　　　
４．対比
　本願補正発明と引用発明との対比
　本願補正発明と引用発明とを対比すると、引用発明の「遊技盤１０に設けられた始動人賞口１３ａ〜１３ｃ」が本願補正発明の「遊技盤面に設けられた始動入賞領域」に相当し、以下同様に、「始動人賞口１３ａ〜１３ｃに打球が人賞すること」が「始動入賞領域へのパチンコ球の通過」することに、「「０」〜「９」及び「Ａ」〜「Ｇ」までの数字及び文字からなる図柄」が「複数種の識別情報」に、「組合せ表示装置２０」が「可変表示装置」に、「表示部２１ａ〜２１ｃの表示態様がすべて「同一数字」である大当り表示態様を表示した場合」が「停止表示した停止識別情報の組合せが同一の識別情報である特別組合せの場合」に、「開閉板１５を開放する変動入賞装置１４」が「大入賞口を開放させる可変入賞球装置」に、「パチンコ機」が「パチンコ機」にそれぞれ相当している。
　また、引用発明の「表示部２１ａ〜２１ｃ」は、「０」〜「９」及び「Ａ」〜「Ｇ」までの数字及び文字からなる図柄が可変表示し、その可変表示状態を順次停止するのであるから、本願補正発明の「変動停止領域」に相当し、引用発明の「「０」〜「９」及び「Ａ」〜「Ｇ」までの数字及び文字からなる図柄の可変表示を開始し、一定時間後に自動的にその可変表示状態を順次停止する」が本願補正発明の「識別情報を変動表示させ、かつ、停止表示させる」事項に相当している。
　そして、引用発明の「選択された図柄（文字）を表示する選択図柄表示部２２」は、図柄を選択して停止表示する領域を形成するといえるから、本願補正発明の「識別情報を停止表示させるための停止領域」に相当している。
　また、引用発明の「選択図柄表示部２２に表示される図柄を選択させる図柄選択スイッチ９を前面枠２の一側部に設け」る点が、本願補正発明の「停止領域に表示させる停止識別情報を選択するための選択部材をパチンコ機の前面側に配置」する点に、「該選択された図柄（文字）」が「該選択した識別情報」に、「表示部２１ａ〜２１ｃの表示態様」が「変動停止領域に表示される停止識別情報」に、それぞれ相当している。
　そして、引用発明の「「０」〜「９」及び「Ａ」〜「Ｇ」までの数字及び文字からなる図柄」について、引用例の上記記載事項（イ）「・・表示部２１ａ〜２１ｃの可変表示は、「０」〜「９」及び「Ａ」〜「Ｇ」までの数字及び文字からなる図柄が如何にも回転しているかのように表示される。」なる記載に基づけば、引用発明の「図柄」は、予め所定順序に配列され、この配列にしたがって順次回転するように変動表示されるから、本願補正発明と同様に「予め所定順序に配列されている複数種の識別情報を前記配列にしたがって、変動表示」されていることは明らかである。
　また、引用発明の「表示部２１ａ〜２１ｃ」及び「選択図柄表示部２２」は、引用例の上記記載事項（オ）「・・組合せ表示装置２０は、その下方に複数（３つ）の表示部２１ａ〜２１Ｃと、中央の表示部２ｌｂの上部に１つの選択図柄表示部２２とを有して構成される。これらの表示部２１ａ〜２１ｃ及び選択図柄表示部２２は、ドット・マトリックス・ディスプレイで構成される。・・」なる記載に基づけば、表示部２１ａ〜２１ｃ及び選択図柄表示部２２は、組合わせ表示装置２０において、同じ形式のディスプレイの表示部材として形成されるものといえる。
　そうすると、引用発明の「表示部２１ａ〜２１ｃ」及び「選択図柄表示部２２」は、本願補正発明の「表示部材」に相当している。
　そして、引用発明の「組合せ表示装置２０」は、引用例の上記記載事項（イ）「この組合せ表示装置２０は、・・表示部２１ａ〜２１ｃが可変表示開始し、一定時間・・後に自動的にその可変表示状態を順次停止する・・」、同じく記載事項（キ）「・・３つの表示部２１ａ〜２１ｃのうち、左側の表示部２１ａが最初に可変表示を停止し、次に右側の表示部２１ｃが可変表示を停止し、最後の中央の表示部２ｌｂが可変表示を停止するように制御される。・・」なる記載に基づけば、組合せ表示装置２０の表示部２１ａ〜２１ｃが、各々左側と右側と中央の各列に配置される複数列の表示部を構成しており、各列単位で異なる所定の変動時間づつ変動表示させ、変動表示の終了に基づいて、順次時間差をおいて各列毎に停止表示する構成を具備するということができる。　
　そうすると、引用発明の「組合せ表示装置２０」と、本願補正発明の「可変表示装置」は、
「複数列で構成された表示部材の各列に、各列単位で異なる所定の変動時間づつ変動表示させ、変動表示の終了に基づいて識別情報のいずれかを順次時間差をおいて各列毎に停止表示する」構成を具備する点で一致している。
  また、引用発明の「選択された図柄（文字）」と「表示部２１ａ〜２１ｃの表示態様」は、引用例の上記記載事項（ウ）「・・表示部２１ａ〜２１ｃの表示態様が・・すべて「選択された図柄（文字）」、及び「２つの同一数字と選択された１つの図柄との組合せ」を表示した場合には、大当り表示態様であると判断されて開閉板１５を所定時間・・開放・・」なる記載に基づけば、選択された図柄（文字）と、表示部２１ａ〜２１ｃの表示態様とが予め定められた識別情報である場合に、変動入賞装置１４に設けた開閉板１５が所定時間だけ開放される構成を具備するといえる。
　そうすると、引用発明の「選択された図柄（文字）」と「表示部２１ａ〜２１ｃの表示態様」と、本願補正発明の「選択した識別情報」と「変動停止領域に表示される停止識別情報」は、
「選択した識別情報と変動停止領域に表示される停止識別情報が予め定められた識別情報である場合に、可変入賞球装置に設けた開放部材によって大入賞口が所定時間だけ開放される」点で共通する構成を具備している。
　　　　　　
してみると、引用発明と本願補正発明とは、
　　　　　
「遊技盤面に設けられた始動入賞領域と、該始動入賞領域へのパチンコ球の通過に基づいて予め所定順序に配列されている複数種の識別情報を前記配列にしたがって、複数列で構成された表示部材の各列に、各列単位で異なる所定の変動時間づつ変動表示させ、該変動表示の終了に基づいて前記識別情報のいずれかを順次時間差をおいて各列毎に停止表示する可変表示装置と、前記表示部材に停止表示した停止識別情報の組合せが同一の識別情報である特別組合せの場合に、大入賞口を開放させる可変入賞球装置を備えたパチンコ機において、
　前記識別情報を変動表示させ、かつ、停止表示させるための変動停止領域および選択した前記識別情報を停止表示させるための停止領域を前記表示部材に設け、
　前記停止領域に表示させる停止識別情報を選択するための選択部材をパチンコ機の前面側に配置し、
　前記選択部材によって選択した識別情報を予め前記停止領域に停止表示させ、該選択した識別情報と前記変動停止領域に表示される停止識別情報が予め定められた識別情報である場合に、前記可変入賞球装置に設けた開放部材によって前記大入賞口が所定時間だけ開放されることを特徴とするパチンコ機。」
　　　　　
　である点で一致し、以下の点で相違する。
　　　　　
＜相違点１＞
　表示部材が、本願補正発明においては、複数行・複数列で構成されるのに対し、引用発明においては、複数行・複数列では構成されていない点。
　　　　　
＜相違点２＞
　停止領域の識別情報と変動停止領域の停止識別情報が予め定められた識別情報である場合が、本願補正発明においては、停止領域と変動停止領域が同一の識別情報の特別組合せであり、且つ、前記特別組合せを構成する各識別情報が有効ライン上に表示されるのに対し、引用発明においては、停止領域と変動停止領域の特別組み合わせでなく、両者が同一の識別情報であり、停止領域と変動停止領域の各識別情報が表示される位置とは無関係である点。　　　　　
５．相違点についての検討
＜相違点１＞について
　表示部材が、複数行・複数列で構成される点に関して、図柄を変動表示させるパチンコ機分野において、表示部材が複数行・複数列で構成されることは、従来周知の技術（例えば、実願平２−３１６８６号（実開平３−１０７９８５号）のマクロフィルム（第２４頁第３〜７行、第２５頁第１〜５行、第４図）、実願昭６２−５７９５４号（実開昭６３−１６３８７７号）のマイクロフィルム（第８頁第６〜１４行、第５〜７図）参照、以下、「周知技術Ａ」という。）である。
　そして、引用発明と上記周知技術Ａは、共に表示部材に表示される識別情報に基づいて遊技者に有利な権利を与える点で機能が共通し、また、引用発明は、表示部の数を増加することも示唆しており（引用例の上記記載事項（コ）参照）、且つ、表示部材の配列に変更を加えることに格別に技術的困難性は認められないから、引用発明の表示部材の配列に、表示部が複数行・複数列で構成される上記周知技術Ａを適用し、本願補正発明に係る相違点１を構成とすることは、当業者であれば容易に想到し得たことである。
　　　
＜相違点２について＞
　本願補正発明において、停止領域と変動停止領域が同一の識別情報の特別組合せであり、且つ、前記特別組合せを構成する各識別情報が有効ライン上に表示されることは、停止領域で選択した図柄を、識別情報の特別組合せを構成する図柄の一部とする趣旨であると解される。
　ところで、図柄を変動表示させるパチンコ機分野において、停止領域で選択した図柄を、識別情報の特別組合せを構成する図柄の一部とすることは、従来周知の技術（例えば、実願平２−３１６８６号（実開平３−１０７９８５号）のマイクロフィルム（第２４頁第３〜７行、第２５頁第１〜５行、第４図）、特開平２−２９７３８９号公報（第１頁左下欄第５行〜同頁右下欄第５行、第３頁右下欄第２行〜第４頁左上欄第９行、第６頁右上欄第１０行〜同頁左下欄第１９行）参照、以下、「周知技術Ｂ」という。）である。
　また、特別組合せを構成する各識別情報が有効ライン上に表示されることも、図柄を変動表示させるパチンコ機分野における技術常識（例えば、上記「周知技術Ｂ」の実願平２−３１６８６号（実開平３−１０７９８５号）のマイクロフィルム（第２４頁第３〜７行、第２５頁第１〜５行、第４図）参照、以下、「技術常識Ａ」という。）というべきである。
　そうすると、引用発明と上記周知技術Ｂ，技術常識Ａは、共に遊技者が遊技中に可変表示装置の図柄の表示態様に直接介入できる点で技術が共通し、引用発明は表示部の数を増加することも示唆しており（引用例の上記記載事項（コ）参照）、且つ、表示部材の配列に変更を加えることに格別な技術的困難性は認められないから、引用発明の表示部材の停止領域と変動停止領域の識別情報の特別組合せの態様に、停止領域で選択した図柄を、識別情報の特別組合せを構成する図柄の一部とする上記周知技術Ｂ、及び特別組合せを構成する各識別情報が有効ライン上に表示される上記技術常識Ａを適用し、予め定められた識別情報である場合が、停止領域と変動停止領域が同一の識別情報の特別組合せであり、且つ、前記特別組合せを構成する各識別情報が有効ライン上に表示されること、即ち、本願補正発明に係る相違点２を構成とすることは、当業者であれば容易に想到し得たことである。　　
　　　　　
６．作用効果・判断
  そして、本願補正発明における作用効果は、引用発明及び上記周知技術に基づいて当業者が当然予測できるものである。
　したがって、本願補正発明は、引用発明及び周知技術に基づいて当業者が容易に発明をすることができたものであるから、特許法第２９条第２項の規定により特許を受けることができない。
　　　　　
７．むすび
　以上のとおり、本願補正発明は、平成１５年改正前特許法第１７条の２第５項の規定において準用する同法第１２６条第４項の規定に違反するものであり、特許法第１５９条第１項の規定において読み替えて準用する同法第５３条第１項の規定によって却下されるべきものである。
　よって、上記「補正の却下の決定の結論」のとおり決定する。
　　　　　
【３】本願発明について
１．本願発明
　平成１５年７月１日付けの手続補正は上記のとおり却下されたので、本願の特許請求の範囲の請求項１に係る発明（以下、「本願発明」という。）は、平成１５年１月２４日付けの手続補正書の明細書及び図面の記載からみて、以下のとおりである。
「【請求項１】遊技盤面に設けられた
始動入賞領域と、該始動入賞領域へのパチンコ球の通過に基づいて予め所定順序に配列されている複数種の識別情報を前記配列にしたがって、複数行・複数列で構成された表示部材の各列または各行に、各列単位または各行単位で異なる所定の変動時間づつ変動表示させ、該変動表示の終了に基づいて前記識別情報のいずれかを順次時間差をおいて各列毎または各行毎に停止表示する可変表示装置と、前記表示部材に停止表示した停止識別情報
　前記識別情報を変動表示させ、かつ、停止表示させるための変動停止領域および
選択した
を前
　前記停止領域に表示さ
せ
　
前記選択部材によって選択した識別情報を予め前記停止領域に停止表示させ、該選択した識別情報と前記変動停止領域
前記可変入賞球装置に設けた開放部材によって
が
される
　　　　
２．引用例に記載された発明
　原査定の拒絶の理由に引用された引用例の記載事項は、前記【２】３．に摘記したとおりである。
　　　　
３．対比・判断
　本願発明は、本願補正発明から前記【２】２．で検討した限定事項を省いたものである。
　そうすると、本願発明の構成要件を全て含み、さらに、上記限定事項を付加したものに相当する本願補正発明が、前記【２】５．で検討したとおり、引用発明及び周知技術に基づいて、当業者が容易に発明をすることができたものであるから、本願発明も同様の理由により、引用発明及び周知技術に基づいて、当業者が容易に発明をすることができたものである。
　　　　
４．むすび
　以上のとおり、本願発明は、引用発明及び周知技術に基づいて、当業者が容易に発明をすることができたものであり、特許法第２９条第２項の規定により特許を受けることができないものであり、他の請求項に係る発明について検討するまでもなく、本願は拒絶すべきものである。
　よって、結論のとおり審決する。